(57)【要約】【課題】ゴルフスウィングにおける足にかかる荷重の移動を円滑に行わせ、従来のゴルフ靴に比べてゴルフボールを打ち易くするゴルフ靴を提供する。【解決手段】ゴルフ靴１０は、爪先側を前端側、ヒール側を後端側として足を収納する靴本体部１２と、靴本体部１２に接合され、後端側にヒール底あて部１６が設けられた靴底部１４とを有し、ヒール底あて部１６の踏面形状が、後端側で線対称形状に形成されるとともに、前端側で非線対称形状に形成され、この非線対称形状の前縁部１６ｃが、この前縁部１６ｃの２点を通り、かつ、前記線対称形状における中心線ＣＬと直交する方向に対して１５〜４５度傾斜した傾斜直線に外接する。【選択図】図２
2004073758.tif 000002
【特許請求の範囲】
【請求項１】
爪先側を前端側、ヒール側を後端側として足を収納する靴本体部と、この靴本体部に接合され、後端側にヒール底あて部が設けられた靴底部とを有するゴルフ靴であって、
前記ヒール底あて部の後端側の踏面形状が線対称形状に形成されるとともに、前端側が非線対称形状に形成され、この前端側の前縁部が、この前縁部の少なくとも２点を通り、かつ、前記線対称形状における中心線と直交する方向に対して傾斜した傾斜直線に外接する踏面形状となっていることを特徴とするゴルフ靴。
【請求項２】
前記傾斜直線は、前記中心線と直交する方向から内足側前端方向に傾斜していることを特徴とする請求項１に記載のゴルフ靴。
【請求項３】
前記傾斜直線の、前記中心線の直交する方向に対する傾斜角度は１５〜４５度であることを特徴とする請求項２に記載のゴルフ靴。
【請求項４】
前記前縁部の外足側の前縁部は、屈曲することなく滑らかに前記ヒール底あて部の側縁部に接続される請求項１〜３のいずれか１項に記載のゴルフ靴。
【請求項５】
前記靴底部は、前記ヒール底あて部の前縁部に対向する位置に、厚さに段差が設けられて後縁部が形成された靴底前方部を有し、この靴底前方部における前記後縁部が、この後縁部の少なくとも２点を通り、かつ、前記傾斜直線に平行な直線に外接することを特徴とする請求項１〜４のいずれか１項に記載のゴルフ靴。
【請求項６】
爪先側を前端側、ヒール側を後端側として足を収納する靴本体部と、この靴本体部に接合された靴底部とを有するゴルフ靴であって、
前記靴底部は、靴底前方部と、踏面形状の少なくとも一部が線対称形状を形成する靴底後方部と、この靴底前方部および靴底後方部の間を接続する靴底幅の狭まった接続部とを有し、
この接続部の両側の側縁部間の距離を最短とする方向が、前記線対称形状における中心線と直交する方向に対して、内足側前端方向に１５〜４５度の範囲で傾斜していることを特徴とするゴルフ靴。
【発明の詳細な説明】
【０００１】
【発明の属する技術分野】
本発明は、ゴルフ靴、特に、ゴルフスウィングに好適なゴルフ靴に関する。
【０００２】
【従来の技術】
現在ゴルファに提供されているゴルフ靴（従来のゴルフ靴）は歩き易く、ゴルフ場を長時間歩行しても疲労しにくく、しかも、耐久性が高く、防水性、通気性、耐久性にも優れたもの、また、服装とコーディネートしやすいデザインの優れた美観重視のものである。
このようなゴルフ靴では、足を収納する靴本体部に一体化したゴム素材を接合して靴底を設け、この靴底の表面にソフトスパイク等の鋲を固定する構成となっている。従って、ゴルフ靴の靴底は、爪先部からヒール部にかけて硬く靴底が曲がることなく、地面に対して靴底全面が同時に接触する構成となっている。
このような靴底の構成は、ゴルファがゴルフスウィングを行う際に地面に対して滑ることが無く地面に対して踏ん張ることができる点で有効である。
【０００３】
【発明が解決しようとする課題】
ところで、右打ちのゴルファのゴルフスウィングでは、アドレスの状態から、ゴルフクラブを後方に振り上げて、右足側に体重の重心を移動してトップの状態を作る。このトップの状態から、左足側に体重の重心を移動しつつ、ゴルフクラブを一気に振り下ろしてダウンスウィングを行ってゴルフボールのインパクトを迎える。さらに、インパクト直後、ゴルフクラブをゴルフボールの飛翔方向に振り出してフォロースルーの状態をとる。インパクトからこのフォロースルーにかけて左足側に体重の重心を移動し、左足にかかった荷重を徐々に左足爪先側に移動する。さらに、ゴルフクラブを振り上げてフォロースルーからフィニッシュに向かうにしたがって左足爪先側から左足の外足側に体重を移動する。
このようなゴルフスウィングにおいて、ゴルフボールの飛距離を安定して高め、しかも、ゴルフボールの飛翔方向を正確にするためには、ダウンスイングからフォロースルー、さらにはフィニッシュにかけての一連の流れを円滑に行う必要がある。
【０００４】
しかし、従来のゴルフ靴は、ゴルファが行うゴルフスウィングの挙動の点から見ると、ゴルフスウィングに必ずしも適応した機能を有していないと言える。
すなわち、従来のゴルフ靴は、上述したように靴底が一体化して靴底が板状に固く作られているため、インパクトからフォロースルーにかけて左足にかかる荷重の移動を円滑に行うことができず、左足側の靴底の爪先部から左足の内足側にかけての踏面の部分が地面から離れる、いわゆる「めくり上がり」が発生する。このため、インパクトからフォロースルーにかけての流れを円滑に行うことはできず、左足の外足側で体重を支える不安定なゴルフスウィングになり易いといった問題がある。
【０００５】
このような問題は、右利きゴルファが体重の重心移動を行ってトップの状態からダウンスウィングを開始して、右足にかかる荷重を左足側に移動して体重の重心移動を行う際にも発生し、右足全体にかかる荷重を右足の爪先側に徐々に移動させる右足の荷重の移動においても十分に円滑におこなうことができないといった問題がある。
【０００６】
そこで、本発明は、上記従来技術の問題点を解消するために、ゴルフスウィングにおける足にかかる荷重の移動を円滑に行わせ、従来のゴルフ靴に比べてゴルフボールを打ち易くすることのできるゴルフ靴を提供することを目的とする。
【０００７】
【課題を解決するための手段】
そこで、本発明は、爪先側を前端側、ヒール側を後端側として足を収納する靴本体部と、この靴本体部に接合され、後端側にヒール底あて部が設けられた靴底部とを有するゴルフ靴であって、
前記ヒール底あて部の後端側の踏面形状が線対称形状に形成されるとともに、前端側が非線対称形状に形成され、この前端側の前縁部が、この前縁部の少なくとも２点を通り、かつ、前記線対称形状における中心線と直交する方向に対して傾斜した傾斜直線に外接する踏面形状となっていることを特徴とするゴルフ靴を提供する。
【０００８】
前記傾斜直線は、前記中心線と直交する方向から内足側前端方向に傾斜しているのが好ましく、その際、前記傾斜直線の、前記中心線の直交する方向に対する傾斜角度は１５〜４５度であるのが好ましい。
また、前記前縁部の外足側の前縁部は、屈曲することなく滑らかに前記ヒール底あて部の側縁部に接続されるのが好ましい。
【０００９】
また、前記靴底部は、前記ヒール底あて部の前縁部に対向する位置に、厚さに段差が設けられて後縁部が形成された靴底前方部を有し、この靴底前方部における前記後縁部が、この後縁部の少なくとも２点を通り、かつ、前記傾斜直線に平行な直線に外接するものであってもよい。
【００１０】
また、本発明は、爪先側を前端側、ヒール側を後端側として足を収納する靴本体部と、この靴本体部に接合された靴底部とを有するゴルフ靴であって、
前記靴底部は、靴底前方部と、踏面形状の少なくとも一部が線対称形状を形成する靴底後方部と、この靴底前方部および靴底後方部の間を接続する靴底幅の狭まった接続部とを有し、
この接続部の両側の側縁部間の距離を最短とする方向が、前記線対称形状における中心線と直交する方向に対して、内足側前端方向に１５〜４５度の範囲で傾斜していることを特徴とするゴルフ靴を提供する。
【００１１】
【発明の実施の形態】
本発明のゴルフ靴を添付の図面に示す好適実施形態に基づいて、以下に詳細に説明する。
図１は、本発明のゴルフ靴の一例である左足用ゴルフ靴１０の略斜視図である。
【００１２】
ゴルフ靴１０は、靴本体部１２とこの靴本体部１２の下面に設けられた靴底部１４とを有して構成される。
靴本体部１２は、爪先側を前端側、ヒール側を後端側として足を収納する部分であり、天然皮革や合成皮革等によって構成される。
靴底部１４は、靴本体部１２に接着剤等で接合され、後端側にその他の部分に比べて厚さが厚くなっているヒール底あて部１６が設けられた部分である。靴底部１４は、例えばゴム材料等によって構成される。
なお、靴底部１４は、別体のゴム部材がヒール底あて部１６として接着剤等によって接合されて一体化されたものであってもよいし、ゴム材料等によって一体的に成形されたものであってもよい。この靴底部１４の踏面表面には、ソフトスパイクピン１８が取り付けられている。
【００１３】
図２（ａ）は、ゴルフ靴１０を踏面側からみた平面図であり、靴底部１４の踏面形状が示されている。この靴本体部１２には、後端側にヒール底あて部１６が設けられて部分的に厚さの厚くなった靴底部１４が設けられている。
ヒール底あて部１６の踏面形状は、図２（ｂ）に示すように、ヒール底あて部１６の後端部１６ａは、中心線ＣＬを中心とする線対称形状となっており、ヒール底あて部１６の前端部１６ｂは、非線対称形状となっている。この前端部１６ｂの前縁部１６ｃは、この前縁部１６ｃの２点を通り、かつ、中心線ＣＬと直交する方向に対して傾斜した傾斜直線Ｌ１　に外接し、その傾斜角度θが１５〜４５度である。好ましくは、傾斜角度θは、２０〜４０度である。なお、図２（ｂ）にはソフトスパイクピン１８は図示されていない。
ゴルフ靴１０は以上のように構成される。
【００１４】
ゴルフ靴１０では、ヒール底あて部１６の前縁部１６ｂが中心線ＣＬと直交する方向に対して傾斜した傾斜直線Ｌ１　に外接する靴底部１４を形成するので、靴底部１４の剛性は分布を持ち、左足をヒール側から爪先側に荷重を移動させた場合、ゴルフ靴１０は、図１に示すＡ方向のねじれ変形が発生する。このねじれ変形は、ヒール側から爪先側に荷重のかけ方を変えた時の、人間の足の骨格構造（図３中の角度θ０　）に由来する足の挙動に対応するものなので、爪先側への荷重の移動を自然にかつ円滑に行うことができる。すなわち、ゴルフスウィングにおけるインパクトからフォロースルーにかけての左足における荷重の移動を円滑に行うことができる。しかも、荷重が爪先側に十分に移動し、かつ、上述のねじれ変形の生じた状態で靴底１４の前方部を地面と接触させることができるので、フォロースルーからフィニッシュにかけて従来のゴルフ靴で発生していた、爪先部から左足の内足側の踏面の部分が地面から離れる「めくれ上がり」も解消することができる。
【００１５】
また、ヒール底あて部１６は、前縁部１６ｃの外足側の部分１６ｄは、屈曲することなく円弧状に滑らかにヒール底あて部１６の側縁部１６ｅに接続される。これにより、フォロースルーからフィニッシュにかけて荷重が左足の外足側に移動する際に地面との引っ掛かりを低減することができる。
【００１６】
本実施例における前縁部１６ｃの形状は後端側に凸の形状とするものであるが、本発明はこの形状に限定されず、図４（ａ）および（ｂ）示すような前縁部１６ｃ’、１６ｃ’’の形状であってもよい。すなわち、図４（ａ）に示すように、前縁部１６ｃ’が直線の形状を成し、傾斜直線Ｌ２　に接する（外接する）ものであってもよい。また、図４（ｂ）に示すように、前縁部１６ｃ’’の一部分が直線の形状を成し、傾斜直線Ｌ３　に接する（外接する）ものであってもよく、本発明における前縁部は、少なくとも前縁部の２点を通り、中心線ＣＬと直交する方向に対して傾斜する傾斜直線に外接する形状であればよい。なお、図４（ａ）および図４（ｂ）では、ソフトスパイクピンは図示されていない。
【００１７】
また、上記実施例のゴルフ靴１０の他に、図５に示すような靴底部２０の踏面形状を有するゴルフ靴であってもよい。図５では、ソフトスパイクピンは図示されていない。
すなわち、靴底部２０は、ヒール底あて部２２の後端部は、中心線ＣＬを中心とする線対称形状となっており、ヒール底あて部２２の前端部は、非線対称形状となっており、この前端部の前縁部２２ｃが、この前縁部２２ｃの２点を通り、かつ、中心線ＣＬと直交する方向に対して傾斜した傾斜直線Ｌ４　に外接し、その傾斜角度θが１５〜４５度となっている。この傾斜角度θは、好ましくは、２０〜４０度である。一方、靴底２０の前端側には、ヒール底あて部２２の前縁部２２ｃに対向する位置に、前端側に比べて厚さが薄くなった溝部２６を形成するように厚さ方向の段差によって後縁部２４ａを形成した靴底前方部２４を有し、この靴底前方部２４における後縁部２４ａが、この後縁部２４ａの少なくとも２点を通り、傾斜直線Ｌ４　に平行な傾斜直線Ｌ５　に外接するように形成されている。
【００１８】
このような構成により、少なくとも、中心線ＣＬに直交する方向に対して傾斜する方向に溝部２６が形成され、ヒール側を地面から浮かせ、爪先側に荷重をかけた場合、図１に示すゴルフ靴１０と同様に、Ａ方向のねじれ変形が生じる。従って、ゴルフスウィングにおけるインパクトからフォロースルにかけての左足における荷重移動を自然かつ円滑に行うことができる。しかも、爪先側に荷重が十分に移動し、上述のねじれ変形の生じた状態で靴底前方部２４を地面と接触させることができるので、フォロースルーからフィニッシュにかけて従来のゴルフ靴では発生していた、爪先部から左足の内足側の踏面の部分が地面から離れる「めくれ上がり」も解消することができる。
【００１９】
また、ゴルフ靴１０の他に、図６に示すような靴底部３０を有するゴルフ靴であってもよい。図６では、ソフトスパイクピンは図示されていない。
すなわち、靴本体部と、この靴本体部に接合された、図５に示す靴底部３０とを有するゴルフ靴であって、靴底部３０は、靴底前方部３２と、踏面形状の少なくとも一部が線対称形状を形成する靴底後方部３４と、この靴底前方部３２および靴底後方部３４の間を接続する靴底幅の狭まった接続部３６とを有し、接続部３６の両側の側縁部間の距離を最短とする方向Ｂが、線対称形状における中心線ＣＬと直交する方向に対して、内足側前端方向に傾斜角度φ＝１５〜４５度の範囲、好ましくは傾斜角度φ＝２０〜３０度の範囲で傾斜している。中心線ＣＬは、靴底後方部３４の後端部３８における線対称形状の中心線である。
すなわち、靴底部３０は、図１や図５に示すようなヒール底あて部を有さず、一定の厚さのゴム部材等によって形成される。
【００２０】
接続部３６は、中心線ＣＬに直交する方向に対して傾斜角度φ傾斜する方向Ｂにおいて、接続部３６の両側の側縁部間の距離を最短とする部分を有するので、方向Ｂと直交する方向を軸とするねじれ変形が発生し易い。
このねじれ変形は、ヒール側から爪先側に荷重をかけ方を変えた時の、図３に示す人間の足の骨格構造に由来する足の挙動に対応するものなので、爪先側への荷重の移動を自然にかつ円滑に行うことができる。すなわち、ゴルフスウィングにおけるインパクトからフォロースルーにかけての左足における荷重の移動を円滑に行うことができる。しかも、爪先側に荷重が十分に移動し、かつ、上述のねじれ変形が生じた状態で靴底前方部３２を地面と接触させることができるので、インパクトからフォロースルー、さらにフィニッシュにかけて従来のゴルフ靴で発生していた、爪先部から左足の内足側の踏面の部分が地面から離れる「めくれ上がり」も解消することができる。
【００２１】
なお、上記実施例では、右利きゴルファにおける左足用のゴルフ靴として説明したが、左利きゴルファにおける右足用のゴルフ靴としてもよい。さらに、このようなゴルフ靴は右利きゴルファにおける右足用のゴルフ靴、また、左利きゴルフファにおける左足用のゴルフ靴であってもよい。
右利きゴルファの右足用ゴルフ靴の場合においても、ゴルフ靴が内足側から外足側の方向にねじれ変形が自然に発生するように、ヒール底あて部の線対称形状における中心線と直交する方向に対して、内足側前端方向に傾斜する傾斜直線にヒール底あて部の前縁部が外接する形状とするとよい。また、図６に示す左足用の靴底部３０に対応する右足用の靴底部についても、ゴルフ靴が内足側から外足側の方向にねじれ変形が自然に発生するように、接続部の両側の側縁部間の距離を最短とする方向が、線対称形状における中心線と直交する方向に対して、内足側前端方向に傾斜する踏面形状にするとよい。
【００２２】
このようなゴルフ靴について、図１に示すゴルフ靴１０を作製して、ゴルフスウィング時の官能評価を行った。官能評価は、５人のゴルファにゴルフ靴を履いてもらい実際にゴルフボールを試打した時のゴルフスウィングやゴルフボールの試打に関する評価である。なお、比較するゴルフ靴は、ヒール底あて部の前縁部が中心線ＣＬに直交する直線に外接する、従来のゴルフ靴である。
評価結果は下記表の通りであった。
「△」は、合格レベルに今一歩の評価結果を、「〇」は合格レベルの評価結果を、「◎」は、合格レベルであり、極めて優れていることを示す。
【００２３】
【表１】
2004073758.tif 000003
【００２４】
ゴルファ５人はいずれも、本発明のゴルフ靴を履いてゴルフボールを試打したとき、ゴルフスウィングのみならず、ゴルフボールの打感についても高い評価を与えていることがわかる。
これより、本発明のゴルフ靴の効果は明らかである。
【００２５】
なお、本発明のゴルフ靴は、上記実施例に限定されるものでなく、本発明の要旨を逸脱しない範囲において、各種の改良および変更を行ってもよいのはもちろんである。
【００２６】
【発明の効果】
以上、詳細に説明したように、本発明のゴルフ靴は、ヒール側から爪先側に荷重のかけ方を変えた時、人間の足の骨格構造に由来する足の挙動に対応するようにねじれ変形を生じさせるので、爪先側への荷重の移動を自然にかつ円滑に行うことができる。従って、ゴルフスウィングにおける右足および左足の荷重移動を円滑に行うことができ、しかも、フォロースルーからフィニッシュにかけて右利きゴルファであれば左足の爪先から内足側にかけての踏面が地面から離れる「めくれ上がり」が発生せず、安定したゴルフボールの打ち易いゴルフスウィングを容易に実現させることができる。
【図面の簡単な説明】
【図１】本発明のゴルフ靴の一例の概略斜視図である。
【図２】（ａ）は、図１に示すゴルフ靴の靴底部を踏面側からみた平面図であり、（ｂ）は、（ａ）に示すヒール底あて部の踏面形状を説明する図である。
【図３】人間の足の骨格構造を説明する図である。
【図４】（ａ）および（ｂ）は、本発明のゴルフ靴のヒール底あて部の他の例を示す図である。
【図５】本発明のゴルフ靴の他の靴底部の例を示す平面図である。
【図６】本発明のゴルフ靴の他の靴底部の例を示す平面図である。
【符号の説明】
１０　ゴルフ靴
１２　靴本体部
１４，２０，３０　靴底部
１６，２２　ヒール底あて部
１８　ソフトスパイクピン
２４，３２　靴底前方部
２６　溝部
３４　靴底後方部
３６　接続部
３８　後端部
【図１】
2004073758.tif 000004
【図２】
2004073758.tif 000005
【図３】
2004073758.tif 000006
【図４】
2004073758.tif 000007
【図５】
2004073758.tif 000008
【図６】
2004073758.tif 000009